【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
電気装置の電力状態を監視する電気的アクティビティ・センサ装置であって、
前記電気装置の電源ケーブルに取り付け可能なセンサ装置であって、前記電気装置の電力状態の変化によって前記電源ケーブルに発生した電気パルスと磁気的に結合して検出可能な電気信号を発生させるように動作するアンテナ要素を含む、前記センサ装置を含み、
前記アンテナ要素は、さらに、前記電気装置の電力状態の変化を表すデータを前記電源ケーブルを介してリーダ装置に送信するように動作する、前記電気的アクティビティ・センサ装置。
【請求項２】
前記アンテナ要素が前記電源ケーブルの形状に適合したフォーム・ファクタを有する、請求項１に記載の電気的アクティビティ・センサ装置。
【請求項３】
前記アンテナ要素による前記データの送信が、前記電源ケーブルを介して前記リーダ装置から受信されたＲＦ信号の後方反射からなる、請求項１または２に記載の電気的アクティビティ・センサ装置。
【請求項４】
前記アンテナ要素は、前記電気パルスへの磁気結合および前記アンテナ要素の動作周波数範囲内での前記電源ケーブルを介したデータ送信の双方を実行する、請求項１〜３のいずれか１項に記載の電気的アクティビティ・センサ装置。
【請求項５】
前記センサ装置は、前記電気信号が検出されたことに応答して、前記電気装置の電力状態の変化を表すデータを記憶するメモリ要素を含み、前記アンテナ要素は、前記センサ装置を識別する識別データを前記リーダ装置に送信するように構成されている、請求項１〜４のいずれか１項に記載の電気的アクティビティ・センサ装置。
【請求項６】
前記アンテナ要素は、ループ・アンテナとして形成される、請求項１〜５のいずれか１項に記載の電気的アクティビティ・センサ装置。
【請求項７】
前記アンテナ要素は、前記電源ケーブルの少なくとも部分の周囲に配置されて誘導コイルを形成するように構成される、請求項１〜６のいずれか１項に記載の電気的アクティビティ・センサ装置。
【請求項８】
前記電気装置の電源をＯＮに切り替えることによって誘導される電気信号と前記電気装置の電源をＯＦＦに切り替えることによって誘導される電気信号とを区別するように構成されたパルス検出器を含む、請求項１〜７のいずれか１項に記載の電気的アクティビティ・センサ装置。
【請求項９】
前記センサ装置は、ＲＦＩＤリーダ装置と通信するように動作するＲＦＩＤタグを含む、請求項１〜８のいずれか１項に記載の電気的アクティビティ・センサ装置。
【請求項１０】
前記センサ装置は、短距離ＲＦＩＤタグとして動作可能である、請求項１〜９のいずれか１項に記載の電気的アクティビティ・センサ装置。
【請求項１１】
前記センサ装置は、前記電源ケーブルを介した電磁誘導によって電力が供給される受動型のセンサ装置として動作する、請求項１〜１０のいずれか１項に記載の電気的アクティビティ・センサ装置。
【請求項１２】
前記電気装置の電源がＯＮに切り替わったときに前記電気装置の消費電力を表すデータを提供する消費電力測定モジュールをさらに含み、前記アンテナ要素によって送信される前記データは、前記電気装置の消費電力を表すデータを含む、請求項１〜１１のいずれか１項に記載の電気的アクティビティ・センサ装置。
【請求項１３】
前記電気装置の前記電力状態の変化が検出されてからの期間を測定するタイマをさらに含む、請求項１〜１２のいずれか１項に記載の電気的アクティビティ・センサ装置。
【請求項１４】
センサ装置が設けられた各々の電源ケーブルによって電力供給ネットワークに接続された少なくとも１つの電気装置の電力状態を監視する電気的アクティビティ監視装置であって、
問い合わせ信号を１つ以上のセンサ装置に送信し、前記問い合わせ信号に応答した１つ以上のセンサ装置の電力状態データを読み出すリーダ・モジュールであって、各センサ装置は、電気装置の各々の電源ケーブルに取り付けられ、前記電力状態データは、前記各々の電源ケーブルを介して前記各々のセンサ装置から受信され、前記電力状態データは、前記各々の電気装置の電力状態の変化を表す、前記リーダ・モジュールと、
前記リーダ・モジュールを前記電力供給ネットワークに電気的に結合させるネットワーク・インタフェースであって、前記電力供給ネットワークを介して受信されたデータ信号を抽出し、前記電力供給ネットワークを介して送信される問い合わせ信号を挿入する、前記ネットワーク・インタフェースと、を含む、前記電気的アクティビティ監視装置。
【請求項１５】
前記リーダ・モジュールは、前記電力供給ネットワークに接続された電気メータによって測定される消費電力の変化が検出されたことに応答して１つ以上の問い合わせ信号の送信を開始させるように構成される、請求項１４に記載の電気的アクティビティ監視装置。
【請求項１６】
通信ネットワークに接続するための通信ネットワーク・インタフェースを含み、前記通信ネットワークに接続された遠隔サーバに対するデータの送信、前記通信ネットワークに接続された遠隔サーバからのデータの受信を可能にする、請求項１４または１５に記載の電気的アクティビティ監視装置。
【請求項１７】
前記リーダ・モジュールは、通信ネットワークを介して受信されたコマンド信号に応答して１つ以上の問い合わせ信号の送信を開始させるように構成される、請求項１４に記載の電気的アクティビティ監視装置。
【請求項１８】
前記リーダ・モジュールは、ＲＦＩＤタグと通信するように動作するＲＦＩＤリーダであって、前記センサ装置を識別するＲＦＩＤタグからＲＦＩＤデータを受信するように動作するＲＦＩＤリーダを含む、請求項１４〜１７のいずれか１項に記載の電気的アクティビティ監視装置。
【請求項１９】
請求項１４〜１８のいずれか１項に記載の電気的アクティビティ監視装置および請求項１〜１３のいずれか１項に記載の少なくとも１つの電気的アクティビティ・センサ装置を含む、電気的アクティビィ監視システム。
【請求項２０】
請求項１４〜１８のいずれか１項に記載の電気的アクティビティ監視装置を含み、外部データ通信ネットワークと内部データ通信ネットワークとの間のインタフェースを提供する、ゲートウェイ・システム。
【手続補正２】
【補正対象書類名】明細書
【補正対象項目名】００７４
【補正方法】変更
【補正の内容】
【００７４】
上述した例示的な実施形態を参照した当業者にとって、多くのさらなる別の変形や改変を行うことが示唆される。例示的な実施形態は、単なる例として与えられたものであり、付随する請求の範囲によってのみ規定される本発明の範囲を限定するように意図されたものではない。特に、異なる実施形態の異なる特徴事項を、適宜、相互に置き換えることができる。
ここで例としていくつかの付記を記載する。
（付記１）
電気装置（１０１）の電力状態を監視する電気的アクティビティ・センサ装置であって、
前記電気装置の電源ケーブル（１０２）に取り付け可能なセンサ装置（２００；７００）であって、前記電気装置の電力状態の変化によって前記電源ケーブルに発生した電気パルスと磁気的に結合して検出可能な電気信号を発生させるように動作するアンテナ要素（２１０；７１０）を含む、前記センサ装置（２００；７００）を含み、
前記アンテナ要素（２１０；７１０）は、さらに、前記電気装置の電力状態の変化を表すデータを前記電源ケーブル（１０２）を介してリーダ装置に送信するように動作する、前記電気的アクティビティ・センサ装置。
（付記２）
前記アンテナ要素が前記電源ケーブルの形状に適合したフォーム・ファクタを有する、付記１に記載の電気的アクティビティ・センサ装置。
（付記３）
前記アンテナ要素による前記データの送信が、前記電源ケーブルを介して前記リーダ装置から受信されたＲＦ信号の後方反射からなる、付記１または２に記載の電気的アクティビティ・センサ装置。
（付記４）
前記アンテナ要素（２１０；７１０）は、前記電気パルスへの磁気結合および前記アンテナ要素（２１０；７１０）の動作周波数範囲内での前記電源ケーブル（１０２）を介したデータ送信の双方を実行する、付記１〜３のいずれか１項に記載の電気的アクティビティ・センサ装置。
（付記５）
前記センサ装置は、前記電気信号が検出されたことに応答して、前記電気装置の電力状態の変化を表すデータを記憶するメモリ要素（２３０；７３０）を含み、前記アンテナ要素は、前記センサ装置（２００；７００）を識別する識別データを前記リーダ装置に送信するように構成されている、付記１〜４のいずれか１項に記載の電気的アクティビティ・センサ装置。
（付記６）
前記アンテナ要素（２１０；７１０）は、ループ・アンテナとして形成される、付記１〜５のいずれか１項に記載の電気的アクティビティ・センサ装置。
（付記７）
前記アンテナ要素（２１０；７１０）は、前記電源ケーブル（１０２）の少なくとも部分の周囲に配置されて誘導コイルを形成するように構成される、付記１〜６のいずれか１項に記載の電気的アクティビティ・センサ装置。
（付記８）
前記電気装置の電源をＯＮに切り替えることによって誘導される電気信号と前記電気装置の電源をＯＦＦに切り替えることによって誘導される電気信号とを区別するように構成されたパルス検出器（２２０；７２０）を含む、付記１〜７のいずれか１項に記載の電気的アクティビティ・センサ装置。
（付記９）
前記センサ装置は、ＲＦＩＤリーダ装置と通信するように動作するＲＦＩＤタグを含む、付記１〜８のいずれか１項に記載の電気的アクティビティ・センサ装置。
（付記１０）
前記ＲＦＩＤセンサ装置（２００；７００）は、短距離ＲＦＩＤタグとして動作可能である、付記１〜９のいずれか１項に記載の電気的アクティビティ・センサ装置。
（付記１１）
前記センサ装置（２００；７００）は、前記電源ケーブルを介した電磁誘導によって電力が供給される受動型のセンサ装置として動作する、付記１〜１０のいずれか１項に記載の電気的アクティビティ・センサ装置。
（付記１２）
前記電気装置の電源がＯＮに切り替わったときに前記電気装置の消費電力を表すデータを提供する消費電力測定モジュールをさらに含み、前記アンテナ要素によって送信される前記データは、前記電気装置の消費電力を表すデータを含む、付記１〜１１のいずれか１項に記載の電気的アクティビティ・センサ装置。
（付記１３）
前記電気装置の前記電力状態の変化が検出されてからの期間を測定するタイマ（７４０）をさらに含む、付記１〜１２のいずれか１項に記載の電気的アクティビティ・センサ装置。
（付記１４）
センサ装置（２００）が設けられた各々の電源ケーブル（１０２）によって電力供給ネットワークに接続された少なくとも１つの電気装置（１０１）の電力状態を監視する電気的アクティビティ監視装置であって、
問い合わせ信号を１つ以上のセンサ装置（２００）に送信し、前記問い合わせ信号に応答した１つ以上のセンサ装置（２００）の電力状態のデータを読み出すリーダ・モジュール（３１０）であって、各センサ装置（２００）は、電気装置の各々の電源ケーブル（１０２）に取り付けられ、前記電力状態データは、前記各々の電源ケーブル（１０２）を介して前記各々のセンサ装置（２００）から受信され、前記電力状態データは、前記各々の電気装置（１０１）の電力状態の変化を表す、前記リーダ・モジュール（３１０）と、
前記リーダ・モジュールを前記電力供給ネットワークに電気的に結合させるネットワーク・インタフェース（３２０）であって、前記電力供給ネットワークを介して受信されたデータ信号を抽出し、前記電力供給ネットワークを介して送信される問い合わせ信号を挿入するための信号を含む、前記ネットワーク・インタフェース（３２０）と、を含む、前記電気的アクティビティ監視装置。
（付記１５）
前記リーダ・モジュール（３１０）は、前記電力供給ネットワークに接続された電気メータ（４００）によって測定される消費電力の変化が検出されたことに応答して１つ以上の問い合わせ信号の送信を開始させるように構成される、付記１４に記載の電気的アクティビティ監視装置。
（付記１６）
通信ネットワークに接続するための通信ネットワーク・インタフェースを含み、前記通信ネットワークに接続された遠隔サーバに対するデータの送信、前記通信ネットワークに接続された遠隔サーバからのデータの受信を可能にする、付記１４または１５に記載の電気的アクティビティ監視装置。
（付記１７）
前記リーダ・モジュール（３１０）は、前記通信ネットワークを介して受信されたコマンド信号に応答して１つ以上の問い合わせ信号の送信を開始させるように構成される、付記１４に記載の電気的アクティビティ監視装置。
（付記１８）
前記リーダ・モジュールは、ＲＦＩＤタグと通信するように動作するＲＦＩＤリーダであって、前記センサ装置を識別するＲＦＩＤタグからＲＦＩＤデータを受信するように動作するＲＦＩＤリーダを含む、付記１４〜１７のいずれか１項に記載の電気的アクティビティ監視装置。
（付記１９）
付記１４〜１８のいずれか１項に記載の電気的アクティビティ監視装置および付記１〜１３のいずれか１項に記載の少なくとも１つの電気的アクティビティ・センサ装置を含む、電気的アクティビィ監視システム。
（付記２０）
付記１４〜１８のいずれか１項に記載の電気的アクティビティ監視装置を含み、外部データ通信ネットワークと内部データ通信ネットワークとの間のインタフェースを提供する、ゲートウェイ・システム。